(57)【要約】      （修正有）【課題】登り梁の下端部とテンションロッドを強固に連結できるほか、登り梁の据え付け作業を無理なく実施可能な梁受け構造を提供すること。【解決手段】梁受け構造として、登り梁４１と柱３１の間に挟み込む金具１１と、登り梁４１の下端部を引き寄せるテンションロッド２５等を用いる。そして登り梁４１の下端面４４に収容孔４６を設け、登り梁４１の最下部に当接面４５を設ける。また金具１１は、垂直板１４と水平板１５と接続軸２１からなり、接続軸２１は収容孔４６に差し入れ、水平板１５で当接面４５を載置する。さらにネジ釘４７で金具１１を登り梁４１に取り付け、寄せボルト３８で金具１１を柱３１に取り付けると、登り梁４１が柱３１に据え付けられる。この構造は、テンションロッド２５からの荷重の伝達経路が単純化し、登り梁４１とテンションロッド２５を強固に連結できるほか、寄せボルト３８だけで登り梁４１を柱３１に据え付けることができる。【選択図】図１
2017014735.tif 000002
【特許請求の範囲】
【請求項１】
登り梁（４１）の下端部を柱（３１）の上部に据え付けるための梁受け構造であって、
前記登り梁（４１）の下端面（４４）と前記柱（３１）の側面との間に挟み込む金具（１１又は１２又は１３）と、
該金具（１１又は１２又は１３）を前記登り梁（４１）に取り付けるためのネジ釘（４７）と、
該金具（１１又は１２又は１３）を前記柱（３１）に取り付けるための寄せボルト（３８）と、
前記登り梁（４１）の下端部を引き寄せるためのテンションロッド（２５）と、
を用い、
前記登り梁（４１）の下端面（４４）には、略水平に伸び且つ下斜面（４３）に到達する収容孔（４６）を設けるほか、該登り梁（４１）の最下部には、水平に展開する当接面（４５）を設け、
前記柱（３１）の側面には、前記寄せボルト（３８）の軸部を差し込むための横孔（３３）を設け、
前記金具（１１又は１２又は１３）は、前記登り梁（４１）と前記柱（３１）との間に挟み込む垂直板（１４）と、該垂直板（１４）から突出する水平板（１５）と、同じく該垂直板（１４）から突出する接続軸（２１）と、からなり、該接続軸（２１）は、前記水平板（１５）よりも上に位置し、
前記接続軸（２１）は前記収容孔（４６）に入り込むほか、前記水平板（１５）は前記当接面（４５）を載置し、
前記垂直板（１４）には、前記ネジ釘（４７）を差し込むための釘孔（１７）と、前記寄せボルト（３８）と螺合するネジ孔（１８）と、を設け、
前記接続軸（２１）の先部には、前記テンションロッド（２５）端部のオネジ（２６）と螺合するメネジ（２２）を設け、
前記テンションロッド（２５）と前記金具（１１又は１２又は１３）により、前記登り梁（４１）の下端面（４４）を押圧すると共に、前記寄せボルト（３８）を介し前記登り梁（４１）を前記柱（３１）に据え付けることを特徴とする梁受け構造。
【発明の詳細な説明】
【技術分野】
【０００１】
本発明は、木造建築において、登り梁の下端部を柱に据え付けるための梁受け構造に関する。
【背景技術】
【０００２】
木造建築はこれまで、強度や火災などの面で大規模化が難しく、住宅を中心に普及してきた。しかし近年は、集成材の製造技術の向上により、大断面の部材が無理なく入手できるようになり、集成材を鉄骨と同様に組み上げる「木質ラーメン構造」などの技術が開発され、公共施設や商業施設の木造化も実現している。このような大規模な木造建築では、屋根構造を簡素化するため、束やタルキなどの細い部材を組み上げることなく、大断面の登り梁を敷設し、必要な強度を確保することがある。
【０００３】
登り梁に関する技術の例として、後記特許文献が挙げられ、特許文献１では、左右の登り梁の頂上部を背中合わせに一体化する連結具が開示されている。この連結具は、左右の登り梁（第一部材および第二部材）の上面を跨ぐように組み込む上金具と、左右の登り梁の下面を跨ぐように組み込む下金具と、登り梁の上下面を結ぶように埋め込むラグスクリューと、登り梁の頂上部に埋め込むタイロッドなどで構成され、上金具と下金具により、ラグスクリューおよびタイロッドを挟み込み、且つボルト（締付部材）により、これら全てを一体化する。このように、登り梁にラグスクリューを埋め込むことで、木材の経年変形が生じた場合でも、連結箇所の剛性低下を防止できるほか、上金具と下金具により、曲げモーメントに対する耐力にも優れている。
【０００４】
特許文献２では、住宅の屋根部分を支持するトラス構造が開示されており、軽量化や組み立て作業の簡素化を発明の目的としている。このトラス構造は、屋根の勾配に沿って伸びる登り梁や、左右の登り梁の下端部同士を結ぶ水平梁や、登り梁と水平梁を垂直に結ぶ登り梁束や、登り梁と水平梁を斜方向に結ぶ斜材で構成されているが、住宅用途における荷重条件を精査し、登り梁束と斜材の一部には、圧縮荷重が作用しないことに着目し、これらに丸鋼を切り出したブレースを用いることを特徴とする。ブレースは、鋼材に比べて軽量で、しかもトラス構造への取り付けや張力の調整も容易で、組み立て作業の簡素化も実現する。
【先行技術文献】
【特許文献】
【０００５】
【特許文献１】特開２００８−２２４１号公報
【特許文献２】特開平６−３０６９９１号公報
【発明の概要】
【発明が解決しようとする課題】
【０００６】
倉庫や畜産施設などは、広大な室内空間を確保する必要があるほか、建築コストの削減要求も厳しく、その骨格には、通常、汎用の形鋼を用いる。しかし近年は、森林資源の有効活用や室内環境の改善などの観点から、このような建築物についても木造化することが模索されている。その場合でも、建築コストの削減は重要で、室内空間を確保した上で、使用する部材や施工時の手間をできるだけ削減する必要がある。そのため屋根については、登り梁を左右に配置した簡素な合掌構造が最適で、登り梁の横断面積を抑制しながら強度を確保できるよう、左右の登り梁の下端部同士をテンションロッドで引き寄せることが多い。
【０００７】
登り梁の下端部同士を引き寄せるテンションロッドは、建築物の強度を確保する上で極めて重要で、仮にこれが脱落すると、登り梁が倒伏し、建築物も破損する。そのためテンションロッドは、登り梁の下端部と強固に連結し、登り梁を安定して据え付ける必要がある。また施工時の手間を削減するため、登り梁の据え付け作業は、無理なく実施できることが望ましい。
【０００８】
本発明はこうした実情を基に開発されたもので、登り梁の下端部とテンションロッドを強固に連結できるほか、登り梁の据え付け作業を無理なく実施可能な梁受け構造の提供を目的としている。
【課題を解決するための手段】
【０００９】
前記の課題を解決するための請求項１記載の発明は、登り梁の下端部を柱の上部に据え付けるための梁受け構造であって、前記登り梁の下端面と前記柱の側面との間に挟み込む金具と、該金具を前記登り梁に取り付けるためのネジ釘と、該金具を前記柱に取り付けるための寄せボルトと、前記登り梁の下端部を引き寄せるためのテンションロッドと、を用い、前記登り梁の下端面には、略水平に伸び且つ下斜面に到達する収容孔を設けるほか、該登り梁の最下部には、水平に展開する当接面を設け、前記柱の側面には、前記寄せボルトの軸部を差し込むための横孔を設け、前記金具は、前記登り梁と前記柱との間に挟み込む垂直板と、該垂直板から突出する水平板と、同じく該垂直板から突出する接続軸と、からなり、該接続軸は、前記水平板よりも上に位置し、前記接続軸は前記収容孔に入り込むほか、前記水平板は前記当接面を載置し、前記垂直板には、前記ネジ釘を差し込むための釘孔と、前記寄せボルトと螺合するネジ孔と、を設け、前記接続軸の先部には、前記テンションロッド端部のオネジと螺合するメネジを設け、前記テンションロッドと前記金具により、前記登り梁の下端面を押圧すると共に、前記寄せボルトを介し前記登り梁を前記柱に据え付けることを特徴とする梁受け構造である。
【００１０】
本発明は、登り梁の下端部を柱に据え付けるために用い、登り梁は、屋根の傾斜に沿って配置され、屋根全体を支えるほか、積雪などによる荷重を受け止め、建築物の骨格の一部となる。なお本発明における登り梁は、左右一対を合掌構造に配置し、さらに登り梁の倒伏を防止するため、左右の登り梁の下端部同士は、テンションロッドで引き寄せることを前提とする。また登り梁の下端面は、柱の側面と向かい合うことを前提とする。したがって、登り梁を柱の上端面に載置することはない。そのほか登り梁と柱のいずれも、木材（集成材を含む）を前提とする。
【００１１】
金具は、登り梁の下端面と柱の側面との間に挟み込まれ、垂直板と水平板と接続軸を溶接などで一体化した構造である。そのうち垂直板は、登り梁と柱との間に挟み込まれる単純な板状で、その一方面は登り梁の端面に接触し、その反対面は柱の側面に接触する。なお登り梁の下端面は、登り梁を所定の傾斜で据え付けた際、垂直面となるように加工し、柱の側面と平行に揃うようにする。
【００１２】
水平板は、登り梁の下端部を載せるため、垂直板から直交するように突出する。この水平板に対応し、登り梁の下斜面の最下部を切り出し、当接面を設ける。当接面は、登り梁を所定の傾斜で据え付けた際、下向きの水平面となるように加工し、そのほぼ全域を水平板に接触させ、下向きの荷重を金具に伝達させる。なお水平板は、垂直板の中間部分から突出させることもあれば、垂直板の下端部を直角に折り曲げて形成することもある。
【００１３】
接続軸は、テンションロッドとの連結を担う棒状の部位で、水平板と同様、垂直板から登り梁側に向けて突出する。通常のテンションロッドは、端部にオネジを形成してあり、接続軸の中心には、これと螺合するメネジを形成する。また接続軸は、水平板よりも上に配置する。そのため接続軸は、登り梁の下端面に突き刺さる配置となるが、これに備え、登り梁の下端面には、あらかじめ収容孔を加工しておく。収容孔は、登り梁を所定の傾斜で据え付けた際、水平方向に伸びるように加工し、さらに登り梁の下斜面まで到達させ、テンションロッドが接続軸に連結できるようにする。
【００１４】
接続軸に螺合したテンションロッドを引き寄せることで、垂直板は、登り梁の下端面を押圧し、登り梁の倒伏を防止する。そのため接続軸は、垂直板から離脱してはならず、双方を強固に一体化する必要があり、溶接と嵌め込み構造を併用するなど、万全の対策を講じる。なお接続軸が長い場合、その先端は収容孔から突出することもある。そのほか収容孔は、テンションロッドの連結作業などを考慮し、接続軸に対し余裕を持たせた内径とする。
【００１５】
ネジ釘は、金具を登り梁に取り付けるために使用する。登り梁の下端部は、垂直板と水平板によるＬ字状の箇所に接触させるが、双方を離脱不能に一体化するため、垂直板から登り梁の下端面に向け、複数のネジ釘を差し込む。このネジ釘を差し込むため、垂直板には釘孔を設ける。さらに柱と垂直板が密着するよう、ネジ釘の頭部は、垂直板に埋め込む。なお本発明では、登り梁が水平板に載置されるほか、テンションロッドにより、垂直板が登り梁の下端面を押圧するため、ネジ釘に作用する荷重は比較的小さい。またネジ釘の詳細形状や長さや太さは、自在に決めることができる。
【００１６】
寄せボルトは、金具を柱に取り付けるために使用し、柱の側面から差し込み、金具の垂直板に設けたネジ孔に螺合させる。そのため柱には、寄せボルトの軸部を差し込むため、横孔を加工する。寄せボルトを締め付けることで、金具を柱の側面に密着させ、登り梁を架空に据え付けることができる。なお本発明では、登り梁をテンションロッドで拘束するため、柱と登り梁を剛接合する必要はなく、このような寄せボルトだけを用いた構成も導入可能である。
【００１７】
このように、登り梁の下端面と柱の側面との間に挟み込む金具などを用い、さらに登り梁の下端面に収容孔を設け、この収容孔に接続軸を差し入れ、テンションロッドと金具を連結する梁受け構造により、テンションロッドに作用する張力は、接続軸から垂直板を介し、直接的に登り梁の下端面を押圧する。そのため、金具に過大な曲げモーメントが作用することを回避でき、金具の健全性が損なわれず、登り梁を安定して据え付けることができる。また、登り梁の下端面を押圧する荷重は、登り梁の繊維方向に沿うため、表面の陥没といった経年変形を生じにくく、緩みによる骨格構造の剛性低下を抑制できる。
【００１８】
そのほか、登り梁の下端面を金具で押圧することで、登り梁は、自立的に形状を維持でき、登り梁と柱との連結箇所において、柱は、登り梁からの曲げモーメントを受け止める必要がない。そのため、この箇所の剛性を高める必要もなく、登り梁の据え付けは、柱の側面から金具に向けて寄せボルトを差し込むといった単純な方式とすることができる。
【発明の効果】
【００１９】
請求項１記載の発明のように、登り梁をテンションロッドで引き寄せる屋根構造において、登り梁の下端面と柱の側面との間に挟み込む金具などを用い、さらに登り梁の下端面に収容孔を設け、この収容孔に接続軸を差し入れ、テンションロッドと金具を連結する梁受け構造とすることで、テンションロッドに作用する張力は、接続軸から垂直板を介し、直接的に登り梁の下端面を押圧する。そのため、テンションロッドからの荷重の伝達経路が極めて単純になり、金具に過大な曲げモーメントが作用することを回避でき、金具の健全性が損なわれず、登り梁とテンションロッドが強固に連結され、登り梁を安定して据え付けることができる。また、登り梁の下端面を押圧する荷重は、登り梁の繊維方向に沿うため、表面の陥没といった経年変形を生じにくく、緩みによる骨格構造の剛性低下を抑制できる。
【００２０】
登り梁の下端面を金具で押圧することで、登り梁は、自立的に形状を維持でき、登り梁と柱との連結箇所において、柱は、登り梁からの曲げモーメントを受け止める必要がない。そのため、この箇所の剛性を高める必要もなく、登り梁の据え付けは、柱の側面から金具に向けて寄せボルトを差し込むといった単純な方式とすることができ、施工作業を無理なく実施できる。
【図面の簡単な説明】
【００２１】
【図１】本発明による梁受け構造の具体例を示す斜視図で、登り梁の下端部を柱の上端部に据え付けることを想定している。
【図２】図１の登り梁を柱に据え付ける過程を示す斜視図である。
【図３】図１の登り梁を柱に据え付けた状態を示す斜視図だが、柱と金具と登り梁については、内部構造を把握できるよう、縦断面で描いてある。
【図４】図４は、本発明による梁受け構造を用い、建築物の骨格構造を築き上げた状態を示す斜視図である。
【図５】登り梁の高さ（横断面の高さ）が増大した場合の対策例を示す斜視図で、金具と補助板を併用している。
【図６】図５の登り梁を柱に据え付ける過程を示す斜視図である。
【図７】金具の形状例を示す斜視図で、ここでは金具として、一枚の鋼板を二箇所で折り曲げたものを用いている。
【図８】図７の登り梁を柱に据え付ける過程を示す斜視図である。
【発明を実施するための形態】
【００２２】
図１は、本発明による梁受け構造の具体例を示し、登り梁４１の下端部を柱３１の上端部に据え付けることを想定している。登り梁４１は、建築物の屋根を下支えする骨格材で、屋根の傾斜に沿って配置するが、本発明においては、合掌構造の屋根を前提としており、登り梁４１は、頂上部を基準として左右対称に配置する。ただし図１では、一方の登り梁４１の下端部だけを描いてある。さらに登り梁４１の倒伏を防止するため、左右の登り梁４１の下端部同士は、テンションロッド２５で引き寄せる。また柱３１は、地盤から直立し、登り梁４１を架空に据え付ける役割を担う。なお柱３１と登り梁４１のいずれも、鋼材ではなく木材（集成材を含む）である。
【００２３】
登り梁４１を所定の傾斜で据え付けた際、下方の端面を下端面４４と称するものとする。この下端面４４は、据え付けた際、垂直面となるように加工してあり、柱３１の側面と平行に対向する。ただし登り梁４１と柱３１は、直に接触する訳ではなく、双方の間に金具１１を挟み込む。また、登り梁４１を所定の傾斜で据え付けた際、斜め上方を向く面を上斜面４８と称し、この反対面で斜め下方を向く面を下斜面４３と称するものとする。
【００２４】
金具１１は、垂直板１４と水平板１５と接続軸２１を溶接で一体化した形状で、そのうち垂直板１４は、単純な矩形状の板で、一方面は柱３１の側面に接触し、その反対面は登り梁４１の下端面４４に接触する。また水平板１５は、垂直板１４の中央よりもやや下から水平方向に突出し、ここに登り梁４１を載せ、下支えする役割を担う。この水平板１５に対応し、登り梁４１の下斜面４３の最下部には、当接面４５を加工してある。当接面４５は、登り梁４１を所定の傾斜で据え付けた際、水平面となり、しかも水平板１５とほぼ同じ大きさに揃えてある。
【００２５】
接続軸２１は、金具１１にテンションロッド２５を連結するため、垂直板１４から水平方向に突出する棒状の部位で、その先端部の中心にメネジ２２を形成してあり、テンションロッド２５端部のオネジ２６を螺合することができる。そして登り梁４１の下端面４４には、接続軸２１を差し入れるため、収容孔４６を加工してある。収容孔４６は、下端面４４から水平方向に伸び、下斜面４３に到達する。さらに、メネジ２２とオネジ２６を螺合させた後、テンションロッド２５の回転を規制するため、あらかじめ固定ナット２７を組み込んでおく。この固定ナット２７は、接続軸２１の先端に密着させ、メネジ２２とオネジ２６の摩擦を高め、テンションロッド２５の回転を規制する。なお収容孔４６の内径は、固定ナット２７の締め付けを考慮して決定する。
【００２６】
接続軸２１は、テンションロッド２５に作用する張力を受け止める重要な役割を担い、垂直板１４から離脱してはならない。そのため、双方を単純に溶接で接合するのではなく、接続軸２１の一端面にツバ２９を設け、これを垂直板１４に設けた丸溝１９に嵌め込み、張力を伝達する。ただし溶接も併用するため、金具１１の製造後、垂直板１４と接続軸２１を分離することはできない。そのほか荷重条件によっては、一本の登り梁４１について、複数本のテンションロッド２５を平行に配置することもある。
【００２７】
金具１１の垂直板１４を登り梁４１の下端面４４に接触させ、併せて、水平板１５を当接面４５に接触させた後、双方を一体化するため、垂直板１４から登り梁４１に向けて複数本のネジ釘４７を差し込む。このネジ釘４７には、構造上、大きな引張荷重やせん断荷重は作用しないが、諸条件を考慮し、ここでは計四本使用している。なお垂直板１４には、ネジ釘４７を差し込むため、釘孔１７を設けてあり、さらにネジ釘４７の頭部を埋め込むため、釘孔１７の一端には、円錐状の皿モミ１６を設けてある。
【００２８】
登り梁４１と一体化した金具１１は、寄せボルト３８を介し、柱３１に取り付ける。寄せボルト３８は、柱３１の側面を貫通する横孔３３に差し込み、金具１１の垂直板１４に設けたネジ孔１８に螺合させる。図では、上下三本の横孔３３が並び、これに対応し、垂直板１４の中心には、ネジ孔１８が上下に三個並んでいる。また寄せボルト３８の頭部が柱３１に食い込み、緩みが生じることを防ぐため、ワッシャ３７を組み込んでいるほか、寄せボルト３８の頭部やワッシャ３７を埋め込むため、横孔３３の一端には、座グリ３４を加工してある。そのほか柱３１の上端面は、登り梁４１の上斜面４８と揃うよう、斜めに切り取ってある。
【００２９】
図２は、図１の登り梁４１を柱３１に据え付ける過程を示す。まずは、金具１１の垂直板１４および水平板１５を登り梁４１に接触させた後、双方を一体化するため、金具１１の釘孔１７から登り梁４１に向けてネジ釘４７を差し込む。なお、金具１１を登り梁４１に取り付けると、接続軸２１は収容孔４６に入り込む。またネジ釘４７の頭部は、皿モミ１６に埋まり、垂直板１４から突出することはない。
【００３０】
次に、金具１１を柱３１の側面に接触させ、柱３１の横孔３３と金具１１のネジ孔１８を同心に揃え、柱３１の側面からネジ孔１８に向けて寄せボルト３８を差し込み、これを締め付けると、金具１１を介して柱３１と登り梁４１が連結される。なお寄せボルト３８の頭部やワッシャ３７は、座グリ３４に埋め込まれ、柱３１の側面から突出することはない。また登り梁４１の収容孔４６には、固定ナット２７を螺合させたテンションロッド２５を差し入れ、接続軸２１と連結し、さらに固定ナット２７を締め付けることで、テンションロッド２５の緩みを除去する。
【００３１】
図３は、図１の登り梁４１を柱３１に据え付けた状態を示すが、柱３１と金具１１と登り梁４１については、内部構造を把握できるよう、縦断面で描いてある。金具１１は、寄せボルト３８を介して柱３１に取り付けられるが、寄せボルト３８の先端が金具１１から突出しないよう、その長さを調整してある。また登り梁４１の当接面４５は、金具１１の水平板１５に載っており、登り梁４１に作用する下向きの荷重は、ここから柱３１に伝達する。そのほか収容孔４６には、固定ナット２７が螺合したテンションロッド２５を差し入れ、そのオネジ２６を接続軸２１に螺合させると共に、固定ナット２７を接続軸２１に密着させている。
【００３２】
図４は、本発明による梁受け構造を用い、建築物の骨格構造を築き上げた状態を示す。骨格構造を築き上げるには、まず、二本の登り梁４１のそれぞれの一端面に金具１１を取り付ける。その際は、先の図２のように、垂直板１４と水平板１５の角に登り梁４１を接触させ、さらに垂直板１４からネジ釘４７を差し込む。次に、二本の登り梁４１を合掌構造となるように配置し、その頂上部分を何らかの手段で連結するほか、左右の金具１１にテンションロッド２５を取り付け、登り梁４１の下端部同士を引き寄せる。なおテンションロッド２５の中央には、ターンバックル２８を配置し、テンションロッド２５に張力を与えることができる。
【００３３】
図４上方に描くように、二本の登り梁４１を組み上げ、その下端部同士をテンションロッド２５で引き寄せた後、登り梁４１に下向きの荷重が作用すると、テンションロッド２５に張力が発生し、登り梁４１の倒伏を防止する。またテンションロッド２５の張力を高めると、登り梁４１がアーチ状に変形し、骨格構造の強度が向上し、登り梁の横断面を縮小することもできる。なお、図４上方に描く合掌構造は、単独で高い剛性を有し、両端を支持するだけで架空に据え付けることができる。そのほか、テンションロッド２５と金具１１により、登り梁４１の下端面４４を押圧するが、これによる圧縮荷重は、登り梁４１の繊維方向に沿うため、表面の陥没といった経年変形を生じにくく、骨格構造の緩みも生じにくい。
【００３４】
施工時は、図４上方に描くように、あらかじめ二本の登り梁４１を組み上げ、その下端部同士をテンションロッド２５で引き寄せる。また柱３１は、所定の位置に直立させ、その後、組み上がった登り梁４１を吊り上げ、対向する柱３１の間に配置する。次に、柱３１の側面から金具１１に向けて寄せボルト３８を差し込み、これを締め付けると、登り梁４１が架空に据え付けられる。なお登り梁４１とテンションロッド２５からなる合掌構造は、前記のように単独で高い剛性を有し、柱３１と登り梁４１を剛的に連結する必要はない。そのほか、骨格構造全体の強度を確保するため、隣接する柱３１や登り梁４１は、桁材５１や棟木５０で連結する。
【００３５】
なお図４では、金具１１にテンションロッド２５を螺合させている。しかし、これらを用いることなく、登り梁４１よりも下方において、左右に対向する柱３１同士を直にテンションロッドで引き寄せ、登り梁４１の下端面４４を柱３１の側面で押圧することもできる。しかし柱３１の側面は、繊維方向との兼ね合いで押圧荷重による陥没を生じやすく、登り梁４１の下端面４４が徐々に柱３１に食い込み、骨格構造に緩みを生じる恐れがある。対して本発明では、このような問題が生じない。
【００３６】
図５は、登り梁４１の高さ（横断面の高さ）が増大した場合の対策例を示す。登り梁４１が極めて長い場合や、荷重条件が厳しい場合、この図のように、登り梁４１の高さを増大させるが、その際、登り梁４１と柱３１との間には、金具１２のほか、補助板５２を挟み込み、テンションロッド２５を上下二列とすることがある。補助板５２は、各種荷重の伝達を担い、金具１２の負担を軽減するほか、上方のテンションロッド２５と螺合する機能を有し、金具１２と同様、釘孔１７とネジ孔１８と接続軸２１を設けてある。ただし登り梁４１の傾斜を考慮し、補助板５２の下方二箇所にネジ孔１８を設け、上方二箇所に釘孔１７を設けてある。なお釘孔１７の一端には、ネジ釘４７の頭部を埋め込むため、皿モミ１６を設けてある。そのほか登り梁４１の収容孔４６は、テンションロッド２５に対応し、上下二列としてある。
【００３７】
補助板５２を用いることで、登り梁４１の高さに応じて、都度専用の金具１２を製造する必要がなくなり、金具１２の汎用性が向上する。なお図５の金具１２は、図１の物と同様、垂直板１４と水平板１５と接続軸２１を一体化した構造だが、垂直板１４の下部には、二列の切り欠き５５を設けてある。この切り欠き５５は、金具１２を柱３１の側面に仮置きするためのもので、柱３１にあらかじめ受けボルト３９を差し込んでおき、その先部で切り欠き５５を受け止める。また、金具１２を柱３１に取り付けるため、垂直板１４の上方二箇所にネジ孔１８を設け、ここに寄せボルト３８を螺合させる。
【００３８】
柱３１の側面には、寄せボルト３８と受けボルト３９を差し込むため、六箇所に横孔３３を加工してあり、そのうち上方の二箇所には、寄せボルト３８を差し込み、補助板５２を取り付ける。また中間の二箇所には、同じく寄せボルト３８を差し込み、金具１２を取り付ける。そして下方の二箇所には、受けボルト３９を差し込む。なおいずれの横孔３３についても、埋め込みのため、座グリ３４を加工してある。そのほか受けボルト３９については、受けナット５４を螺合させ、金具１２を柱３１に密着させる。
【００３９】
図６は、図５の登り梁４１を柱３１に据え付ける過程を示す。登り梁４１の下端面４４には、金具１２と補助板５２を取り付ける。次に、登り梁４１を柱３１に接触させるが、柱３１下方の二箇所の横孔３３には、あらかじめ受けボルト３９を差し込んでおく。そして登り梁４１を吊り上げ、受けボルト３９の先部を金具１２の切り欠き５５に差し入れると、登り梁４１は柱３１に仮置きされる。その後、寄せボルト３８を差し込むほか、受けボルト３９に受けナット５４を螺合させ、これらを締め付けると、登り梁４１の据え付けが完了する。なおテンションロッド２５については、上下二列とも、登り梁４１を柱３１に据え付ける前に組み込んでおく。
【００４０】
図７は、金具１３の形状例を示す。金具１３は、登り梁４１を載せる水平板１５や、テンションロッド２５と連結する接続軸２１などを備えていれば、その詳細形状は自在に決めることができ、この図のように、一枚の鋼板を二箇所で折り曲げた構成でも問題はない。なお下方の折り曲げ箇所は、水平板１５となり、上方の折り曲げ箇所は、上板５６となる。この上板５６に対応し、図７の柱３１の上端は水平面となっており、この面に上板５６が載ることで、下向き荷重が伝達される。そのほか接続軸２１は、図１と同じ方法で金具１３に取り付けてある。
【００４１】
図８は、図７の登り梁４１を柱３１に据え付ける過程を示す。まず、登り梁４１の下端面４４と当接面４５に金具１３を接触させ、次に、金具１３から登り梁４１に向けて計四本のネジ釘４７を差し込み、双方を一体化する。さらに、テンションロッド２５を接続軸２１に取り付け、左右の登り梁４１を組み上げる。そして、登り梁４１を吊り上げ、金具１３の上板５６を柱３１の上端面に載せ、登り梁４１を仮置きした後、柱３１の側面から寄せボルト３８を差し込むと、登り梁４１の据え付けが完了する。なお、柱３１の上端面や金具１３の上板５６は、屋根板などの取り付けを考慮し、登り梁４１の上斜面４８の延長線よりも低くしてある。
【符号の説明】
【００４２】
１１  金具
１２  金具
１３  金具
１４  垂直板
１５  水平板
１６  皿モミ
１７  釘孔
１８  ネジ孔
１９  丸溝
２１  接続軸
２２  メネジ
２５  テンションロッド
２６  オネジ
２７  固定ナット
２８  ターンバックル
２９  ツバ
３１  柱
３３  横孔
３４  座グリ
３７  ワッシャ
３８  寄せボルト
３９  受けボルト
４１  登り梁
４３  下斜面
４４  下端面
４５  当接面
４６  収容孔
４７  ネジ釘
４８  上斜面
５０  棟木
５１  桁材
５２  補助板
５４  受けナット
５５  切り欠き
５６  上板
【図１】
2017014735.tif 000003
【図２】
2017014735.tif 000004
【図３】
2017014735.tif 000005
【図４】
2017014735.tif 000006
【図５】
2017014735.tif 000007
【図６】
2017014735.tif 000008
【図７】
2017014735.tif 000009
【図８】
2017014735.tif 000010